(57)【要約】【課題】ウエハの設置状態にかかわらず、ドレイン領域およびソース領域をゲート電極に対して対称に形成することにより、単一セルにおける電流の対称性を確保する。【解決手段】半導体基板上にゲート酸化膜を形成する。ゲート酸化膜上にゲート電極を形成する。半導体基板の表面のゲート電極を挟む位置にドレイン領域およびソース領域を形成する。ドレイン領域およびソース領域を形成する工程は、半導体基板をイオン注入装置の搭載ステージ上に載置して、ゲート電極をマスクとして半導体基板の表面に不純物イオンを注入する第１のイオン注入工程と、搭載ステージの載置面内において、半導体基板を搭載ステージに対して１８０°回転させた向きに搭載ステージ上に再載置して、ゲート電極をマスクとして半導体基板の表面に不純物イオンを注入する第２のイオン注入工程と、を含む。【選択図】図４
2010238854.tif 000002
【特許請求の範囲】
【請求項１】
ＭＯＳ構造を有する半導体装置の製造方法であって、
半導体基板上にゲート酸化膜を形成する工程と、
前記ゲート酸化膜上にゲート電極を形成する工程と、
前記半導体基板の表面の前記ゲート電極を挟む位置にドレイン領域およびソース領域を形成する工程と、を含み、
前記ドレイン領域およびソース領域を形成する工程は、前記半導体基板をイオン注入装置の搭載ステージ上に載置して、前記半導体基板の表面に不純物イオンを注入する第１のイオン注入工程と、
前記搭載ステージの載置面内において、前記半導体基板を前記搭載ステージに対して１８０°回転させた向きで前記搭載ステージ上に再載置して、前記半導体基板の表面に前記不純物イオンを注入する第２のイオン注入工程と、を含むことを特徴とする半導体装置の製造方法。
【請求項２】
前記第１のイオン注入工程における不純物イオンのドーズ量と前記第２のイオン注入工程における前記不純物イオンのドーズ量は、等しいことを特徴とする請求項１に記載の半導体装置の製造方法。
【請求項３】
前記ゲート電極のドレイン側およびソース側の両側壁部に電荷蓄積層を形成する工程を更に含むことを特徴とする請求項１に記載の半導体装置の製造方法。
【請求項４】
前記搭載ステージは複数であり、
前記第１および第２のイオン注入工程において、前記搭載ステージの各々の上に載置された複数の半導体基板に対して一括してイオン注入が行われることを特徴とする請求項１に記載の半導体装置の製造方法。
【請求項５】
前記搭載ステージの各々は、前記イオン注入装置に設けられた回転ディスクの外縁に沿って配置され、
前記第１および第２イオン注入工程において、前記回転ディスクの回転動作によって所定の照射位置に到来した前記半導体基板に対してイオン注入が行われることを特徴とする請求項４に記載の半導体装置の製造方法。
【請求項６】
前記回転ディスクは、前記搭載ステージの各々が設置された外周領域において、回転中心に向けて傾斜した傾斜面を有し、
前記第１および第２イオン注入工程において、前記半導体基板の各々は、ゲート長方向と直交する前記ゲート電極の伸長方向が、当該半導体基板の載置位置における前記回転ディスクの回転奇跡の接線方向と平行となるように、前記搭載ステージ上に載置されることを特徴とする請求項５に記載の半導体装置の製造方法。
【発明の詳細な説明】
【技術分野】
【０００１】
本発明は、半導体装置の製造方法に関し、特にＭＯＳ構造を有する半導体装置のドレイン・ソース領域を形成するためのイオン注入工程に関する。
【背景技術】
【０００２】
１つのメモリセルに２つの電荷蓄積部を有し、各電荷蓄積部に２値（“０”“１”）を記憶することにより１つのメモリセル当たり２ビットの記憶容量を有する不揮発性半導体メモリが知られている。このようなメモリセルは例えばｎチャンネル型ＭＯＳＦＥＴ構造を有し、ドレイン側とソース側に互いに離間して形成された２つの電荷蓄積部を有する。電荷蓄積部に電荷が蓄積された状態を例えばデータ"０"に対応させ、電荷が蓄積されていない状態を例えばデータ"１"に対応させることにより各電荷蓄積部に１ビット、１メモリセル当たり２ビットのデータを記憶させることが可能となる。かかるメモリセルへのデータの書込み、読出しは、例えば以下の方法により行われる。
【０００３】
例えば、ドレイン側の電荷蓄積部にデータ“０”の書き込みを行う場合には、ドレイン端子およびゲート端子に正電圧を印加し、ソース端子を接地電圧とする。これにより、ドレイン側の電荷蓄積部にホットエレクトロンが注入され、これが保持されてデータ“０”が書き込まれる。
【０００４】
次に、ドレイン側の電荷蓄積部に記憶されたデータの読出しを行う場合には、ソース端子およびゲート端子に正電圧を印加し、ドレイン端子を接地電圧とする。この時ドレイン側の電荷蓄積部に電荷が蓄積されていない場合、すなわち当該電荷蓄積部にデータ“１”が記録されている場合、比較的大きな読出し電流が得られる。一方、ドレイン側の電荷蓄積部に電荷が蓄積されている場合、すなわち当該電荷蓄積部にデータ“０”が記録されている場合、蓄積された電荷の影響により読出し電流はデータ“１”が記録されている場合と比較して小さくなる。このように、電荷蓄積部内の電荷の有無によって、読み出し電流の大きさに差が表れるため、読出し電流の大小を判定することによりデータの読み出しを行うことができる。
【先行技術文献】
【特許文献】
【０００５】
【特許文献１】特開平６−７６７８３号公報
【特許文献２】特開昭５８−１００３５０号公報
【発明の概要】
【発明が解決しようとする課題】
【０００６】
ここで、図１に示すように、ドレイン側の電荷蓄積部１４ａに電子が注入され（データ“０”を記録）、ソース側の電荷蓄積部１４ｂには電子が注入されていない（データ“１”を記録）場合について考える。ドレイン側の電荷蓄積部１４ａに記録されたデータ“０”を読み出す際には、上記したように、ソース領域１７およびゲート電極１２に正電圧を印加し、ドレイン領域１６を接地電圧とする。これにより、ソース領域１７からドレイン領域１６に向けて読み出し電流が流れる。この場合、ドレイン側の電荷蓄積部１４ａには電子が注入されているため、電荷蓄積部１４ａの直下に正電荷が誘起され、読み出し電流は比較的小さい値となる。
【０００７】
一方、ソース側の電荷蓄積部１４ｂに記録されたデータ“１”を読み出す際には、上記した場合と逆方向にバイアスし、逆方向の読み出し電流を流す。すなわち、ドレイン領域１６およびゲート電極１２に正電圧を印加し、ソース領域１７を接地電圧とする。これにより、ドレイン領域１７からソース領域１６に向けて読み出し電流が流れる。この場合、ソース側の電荷蓄積部１４ｂには電子が注入されていないため電流低下は起らず、読み出し電流は比較的大きい値となる。
【０００８】
図２（ａ）は、かかる２ビットの記憶容量を有するメモリセルにおける理想的な読出し電流の分布を示すグラフであり、横軸が読み出し電流値、縦軸が頻度を示している。同図に示すように、読出し電流は、データ“０”および“１”の各々に対応する標準値を中心として一定の幅を持った分布をとる。互いに異なるデータ（“０”および“１”）に対応する各読出し電流分布の間の間隔を電流ウィンドウと称する。メモリセルに書き込まれたデータを精度良く読み出すためには、十分な幅の電流ウィンドウを確保する必要がある。つまり、データ“０”の読出し電流値とデータ“１”の読出し電流値とが近接していると正確な読出しを行うことが困難となる。
【０００９】
記録データの読み出し精度を悪化させる要因の１つとして、単一メモリセル内における電流の非対称性が挙げられる。電流の非対称性とは、いずれの電荷蓄積部にも電荷が蓄積されていない初期状態において、読み出し電流をドレイン側からソース側に向けて流す場合と、ソース側からドレイン側に向けて流す場合とで電流値が異なることをいう。
【００１０】
例えば、初期状態において、ドレイン側からソース側に流れる読み出し電流が、ソース側からドレイン側に流れる読み出し電流よりも大きいメモリセルに対して、ソース側の電荷蓄積部に電子を注入してデータ“０”を記録し、ドレイン側の電荷蓄積部にデータ“１”を記録した場合、各データに対応する読み出し電流の分布は図２（ｂ）のようになり、図２（ａ）に示す場合と比較して電流ウィンドウが狭くなる。すなわち、単一メモリセル内において電流が非対称であると、データ読み出し精度を悪化させる結果となる。
【００１１】
このように、単一メモリセル内において電流が非対称となる原因としては、メモリセルのドレイン領域１６とソース領域１７がゲート電極１２に対して非対称に形成されることが挙げられる。これは、ドレイン・ソース領域を形成するためのイオン注入工程において、イオンビームの出射方向に対してウエハ主面が傾いている場合に起り得る。具体的には、イオン注入装置のウエハ搭載ステージが適切に設置されていない場合や、ウエハ搭載ステージ上に異物が付着しているような場合、ウエハ主面がイオンビームの出射方向に対して傾いてしまうことがある。このような、ウエハの傾きを製造工程において検出し、これを排除することは困難である。
【００１２】
本発明は、上記した点に鑑みてなされたものであり、ウエハの設置状態にかかわらず、ドレイン領域およびソース領域をゲート電極に対して対称に形成することにより、単一セルにおける電流の対称性を確保することができる半導体装置の製造方法を提供することを目的とする。
【課題を解決するための手段】
【００１３】
本発明の半導体装置の製造方法は、ＭＯＳ構造を有する半導体装置の製造方法であって、半導体基板上にゲート酸化膜を形成する工程と、前記ゲート酸化膜上にゲート電極を形成する工程と、前記半導体基板の表面の前記ゲート電極を挟む位置にドレイン領域およびソース領域を形成する工程と、を含み、前記ドレイン領域およびソース領域を形成する工程は、前記半導体基板をイオン注入装置の搭載ステージ上に載置して、前記半導体基板の表面に不純物イオンを注入する第１のイオン注入工程と、前記搭載ステージの載置面内において、前記半導体基板を前記搭載ステージに対して１８０°回転させた向きで前記搭載ステージ上に再載置して、前記半導体基板の表面に前記不純物イオンを注入する第２のイオン注入工程と、を含むことを特徴としている。
【発明の効果】
【００１４】
本発明の半導体装置の製造方法によれば、ウエハ搭載ステージ自体が傾いていたり、ウエハ搭載ステージ上に付着した異物等に起因してイオンビームの出射方向に対してウエハ主面が傾いている場合でも、ゲート電極を中心としてドレイン領域およびソース領域を対称に形成することが可能となり、単一セル内における電流の非対称性を解消することができる。したがって、本発明を不揮発性半導体メモリのメモリセルの形成に適用することにより、読み出し精度の安定化を図ることが可能となる。
【図面の簡単な説明】
【００１５】
【図１】不揮発性半導体メモリの構造を示す断面図である。
【図２】図２（ａ）は、メモリセルの理想的な読み出し電流分布を示す電流分布図、図２（ｂ）は、電流が非対称なメモリセルの読み出し電流分布を示す電流分布図である。
【図３】本発明の実施例である、不揮発性半導体メモリの製造方法を示す断面図である。
【図４】本発明の実施例であるドレイン・ソース領域形成工程において実施される処理を示すフローチャートである。
【図５】図５（ａ）は、第１回目のイオン注入工程におけるウエハ搭載方向を例示する平面図、図５（ｂ）は、第２回目のイオン注入工程におけるウエハ搭載方向を例示する平面図である。
【図６】図６（ａ）〜（ｃ）は、第１イオン注入工程におけるイオン注入の様子を示す断面図である。
【図７】図７（ａ）〜（ｃ）は、第２イオン注入工程におけるイオン注入の様子を示す断面図である。
【図８】本発明の実施例とは異なる方法を用いた場合におけるイオン注入の様子を示す断面図である。
【図９】バッチ式イオン注入装置のウエハ搭載部の構成を示す平面図である。
【図１０】図９における１０―１０線に沿った断面図である。
【図１１】本発明の実施例であるドレイン・ソース領域形成工程において実施される処理を示すフローチャートである。
【図１２】バッチ式イオン注入装置を用いた第２回目のイオン注入工程におけるウエハの搭載方向を示す平面図である。
【発明を実施するための形態】
【００１６】
以下、本発明の実施例について図面を参照しつつ説明する。尚、以下に示す図において、実質的に同一又は等価な構成要素、部分には同一の参照符を付している。
【００１７】
図３（ａ）〜（ｆ）は、本発明の実施例である不揮発性半導体メモリの製造方法を示したものであり、不揮発性半導体メモリのプロセスステップ毎の断面図を示したものである。はじめに、ｐ型シリコン基板１０上に熱酸化法によりＳｉＯ2膜を形成し、その上にＣＶＤ法によりポリシリコン膜を形成する。次に、フォトリソグラフィ技術を用いて、ポリシリコン膜上にゲート電極パターンに対応したレジストマスクを形成する。次にこのレジストマスクを介してドライエッチングを行って、ゲート酸化膜１１およびゲート電極１２をパターンニングする（図３（ａ））。
【００１８】
次に、熱酸化法により、ｐ型シリコン基板１０の上面と、ゲート電極１２の上面および側面とを覆うように、ＳｉＯ2からなるトンネル酸化膜１３を形成する（図３（ｂ））。次に、ＣＶＤ法により、トンネル酸化膜１３を覆うように、シリコン窒化膜からなる電荷蓄積層１４を形成する（図３（ｃ））。次に、ＣＶＤ法により、電荷蓄積層１４を覆うようにＮＳＧ層１５ａを堆積する（図３（ｄ））。
【００１９】
次に、ＮＳＧ膜１５ａに対してＲＩＥ（反応性イオンエッチング）により垂直成分を主体とする異方性エッチングを行って、ゲート電極１２の側壁部を覆うサイドウォールスペーサ１５を形成する（図３（ｅ））。
【００２０】
次に、イオン注入法により、ｐ型シリコン基板１０の表面のゲート電極１２を挟む位置にｎ型の導電性不純物を注入してドレイン領域１６およびソース領域１７を形成する。このとき、ゲート電極１２およびサイドウォールスペーサ１５がマスクとなり、ドレイン領域１６およびソース領域１７は、ゲート電極１２およびサイドウォールスペーサ１５に対して自己整合的に形成される（図３（ｆ））。
【００２１】
かかるドレイン・ソース形成工程において、イオン注入装置のウエハ搭載ステージの設置状態が不適切であり傾きが生じていたり、ウエハの載置面上に異物が付着していると、ウエハ主面がイオンビームの出射方向に対して垂直とならず、不純物イオンがウエハ主面に対して斜め方向から注入されることとなる。この場合、ドレイン領域又はソース領域のいずれか一方において、ゲート電極１２およびサイドウォールスペーサ１５の影となる部分が生じる所謂シャドウイングが起り、イオン注入が適切に行われない領域が生じ得る。その結果、ドレイン領域１６およびソース領域１７がゲート電極１２に対して非対称に形成されることとなる。ドレイン領域１６およびソース領域１７が非対称に形成されると電流を流す方向によって電流値が異なり（すなわち、電流が非対称となり）、上記したように電流ウィンドウの幅が縮小してデータの読み出し精度の悪化を招くこととなる。
【００２２】
そこで、何らかの原因によってウエハ主面が傾いてしまった場合でも、ドレイン領域１６およびソース領域１７がゲート電極１２に対して非対称とならないように、以下に示す方法でイオン注入を行う。図４は、ドレイン・ソース領域形成工程において行われる各処理を示したフローチャートである。尚、以下においては、ウエハを１枚ずつ処理する枚葉式のイオン注入装置を用いてイオン注入を行う場合を例に説明する。
【００２３】
まず、ゲート電極１２およびサイドウォール１５の形成まで完了したウエハ２０をイオン注入装置のウエハ搭載ステージ３０上に載せる。ウエハ２０には、結晶軸方向を示すオリフラ２１（又はノッチ）が設けられており、このオリフラ２１（又はノッチ）がウエハ搭載ステージ３０に対して所定の方向を向くようにウエハ２０を載置する。図５（ａ）にこの段階においてウエハ搭載ステージ３０上に載置されるウエハ２０の向きを例示した平面図を示す。同図に示す例では、ウエハ２０は、オリフラ２１が右側に位置するようにウエハ搭載ステージ３０上に載置されている。ウエハ２０は、クランプ機構等によってウエハ搭載ステージ３０上に固定される（ステップＳ１）。
【００２４】
次に、ウエハ２０の向きを維持したまま、ドレイン領域１６およびソース領域１７を形成するための第１回目のイオン注入を実施する。すなわち、イオン注入は２回に分けて実施される。このため、第１回目のイオン注入においては、規定量の半分のドーズ量でイオン注入を実施する。例えば総ドーズ量１×１０15／ｃｍ-2でイオン注入を行うことにより、ドレイン領域１６およびソース領域１７を形成する場合、第１回目のイオン注入ではドーズ量を５×１０14／ｃｍ-2に設定する（ステップＳ２）。
【００２５】
ここで、図６（ａ）〜（ｃ）に第１回目のイオン注入処理において、ウエハ主面がイオンビームの出射方向に対して傾いている場合と、傾いていない場合のイオン注入の様子を示す。各図において、上段はウエハ搭載ステージ３０上に載置されたウエハ２０全体を示しており、下段が当該ウエハ面内に設けられた１つのメモリセルを示している。図中の矢印は、イオンビームの出射方向を示している。
【００２６】
図６（ａ）は、イオンビームの出射方向に対してウエハ２０に傾きが生じていない場合のイオン注入の様子を示している。この場合、不純物イオンは、ウエハ２０の主面に対して垂直に入射するため、ドレイン領域１６およびソース領域１７はゲート電極１２に対して対称となるように形成される。
【００２７】
図６（ｂ）はウエハ搭載ステージ３０自体の設置が適正になられておらず、イオンビームの出射方向に対してウエハ２０の主面が傾いている場合のイオン注入の様子を示している。同図に示す例においては、ドレイン側の高さがソース側の高さよりも高くなっており、不純物イオンは、ウエハ２０の主面に対して斜め方向から入射している。この場合、ソース側において、ゲート電極１２の影となる部分が生じるため、図６（ａ）に示す場合と比較して、ソース領域１７の端部が左側に移動する。一方、ドレイン側は、不純物イオンがサイドウォール１５乃至ゲート電極１２の下方まで導入され、ウエハに傾きが生じていない場合と比較して、ドレイン領域１６の端部も左側に移動する。このように、ウエハ２０の主面がイオンビームの出射方向に対して傾いていると、ドレイン側においてイオン注入が行われる領域とソース側においてイオン注入が行われる領域は、ゲート電極１２に対して非対称となる。
【００２８】
図６（ｃ）は、ウエハ搭載ステージ３０上に異物が付着した結果、イオンビームの出射方向に対してウエハ２０の主面が傾いている場合のイオン注入の様子を示している。同図に示す例においては、ドレイン側の高さがソース側の高さよりも高くなっており、不純物イオンは、ウエハ２０の主面に対して斜め方向から入射している。この場合も図６（ｂ）に示す場合と同様に、ドレイン側においてイオン注入が行われる領域とソース側においてイオン注入が行われる領域は、ゲート電極１２に対して非対称となる。
【００２９】
第１回目のイオン注入が完了したら、ウエハ２０を一旦ウエハ搭載ステージ３０上から取り外し、ウエハの向きを１８０°回転させて再度ウエハステージ３０上に載置する。このとき、ウエハ搭載ステージ３０ごと回転させるのではなく、ウエハ搭載ステージ３０に対してウエハ２０を回転させる。図５（ｂ）にこの段階においてウエハ搭載ステージ３０上に載置されるウエハ２０の向きを例示した平面図を示す。同図に示す例では、ウエハ２０は、オリフラ２１が左側に向くようにウエハ搭載ステージ３０上に載置されている。ウエハ２０は、クランプ機構等によってウエハ搭載ステージ３０上に固定される（ステップＳ３）。
【００３０】
次に、ウエハ２０の向きを維持したまま、第２回目のイオン注入を実施する。第２回目のイオン注入は、第１回目のイオン注入の場合と同様、規定量の半分のドーズ量でイオン注入を実施する。例えば総ドーズ量１×１０15／ｃｍ-2でイオン注入を行うことにより、ドレイン領域１６およびソース領域１７を形成する場合、第２回目のイオン注入ではドーズ量を５×１０14／ｃｍ-2に設定する（ステップＳ４）。
【００３１】
図７（ａ）は、図６（ａ）に示す場合に対応する第２回目のイオン注入の様子を示したものである。ウエハ２０の主面がイオンビームの出射方向に対して傾いていない場合、第１回目のイオン注入時と同様、不純物イオンは、ウエハ２０の主面に対して垂直に入射するため、ドレイン領域１６およびソース領域１７はゲート電極１２に対して対称となるように形成される。
【００３２】
図７（ｂ）は、図６（ｂ）に示す場合に対応する第２回目のイオン注入の様子を示したものである。ウエハ搭載ステージ３０自体の設置が適正になされておらず、イオンビームの出射方向に対してウエハ２０の主面が傾いている。先のウエハ２０の回転操作によって、ウエハ２０の傾きの方向は、第１回目のイオン注入時と異なり、ソース側の高さがドレイン側の高さよりも高くなるように傾いている。不純物イオンは、ウエハ２０の主面に対して斜め方向から注入され、今度はドレイン側にゲート電極１２の影となる部分が生じる為、ドレイン側においてイオン注入が行われる領域とソース側においてイオン注入が行われる領域は、ゲート電極１２に対して非対称となる。しかしながら、ウエハ搭載ステージ３０に対してウエハ２０の向きを１８０°回転させることによりウエハの傾きの方向を第１回目のイオン注入のときから変化させているので、第１回目と第２回目のイオン注入処理において、重複してイオン注入が行われる領域（図中斜線で示す）すなわち、規定のドーズ量でイオン注入が行われる領域は、ドレイン側とソース側で一致する。また、ゲート電極１２の影となり、規定量の半分のドーズ量でイオン注入が行われることとなった領域（図中点線で囲む領域）もドレイン側とソース側で一致する。つまり、２回のイオン注入処理を通じてドレイン領域１６およびソース領域１７は、ゲート電極１２に対して対称に形成されることとなる。
【００３３】
図７（ｃ）は、図６（ｃ）に示す場合に対応する第２回目のイオン注入の様子を示したものである。ウエハ搭載ステージ３０上に異物が付着した結果、イオンビームの出射方向に対してウエハ２０の主面が傾いている。先のウエハ２０の回転操作によって、ウエハ２０の傾きの方向は、第１回目のイオン注入時と異なり、ソース側の高さがドレイン側の高さよりも高くなるように傾いている。不純物イオンは、ウエハ２０の主面に対して斜め方向から注入され、今度はドレイン側にゲート電極１２の影となる部分が生じる為、ドレイン側においてイオン注入が行われる領域とソース側においてイオン注入が行われる領域は、ゲート電極１２に対して非対称となる。しかしながら、ウエハ搭載ステージ３０に対してウエハ２０の向きを１８０°回転させることによりウエハの傾きの方向を第１回目のイオン注入のときから変化させているので、第１回目と第２回目のイオン注入処理において、重複してイオン注入が行われる領域（図中斜線で示す）すなわち、規定のドーズ量でイオン注入が行われる領域は、ドレイン側とソース側で一致する。また、ゲート電極１２の影の影響で、規定量の半分のドーズ量でイオン注入が行われることとなった領域（図中点線で囲む領域）もドレイン側とソース側で一致する。更に、第１回目と第２回目のイオン注入工程において、注入される不純物イオンのドーズ量も等しい。従って、２回のイオン注入処理を通じてドレイン領域１６およびソース領域１７は、ゲート電極１２に対して対象に形成されることとなる。
【００３４】
ドレイン・ソース領域の形成が完了したら、層間絶縁膜形成、コンタクトホール形成、電極層堆積、および電極層パターニングを経て、不揮発性半導体メモリが完成する。
【００３５】
このように、本発明の半導体装置の製造方法によれば、ウエハ搭載ステージ自体が傾いていたり、ウエハ搭載ステージ上に付着した異物等に起因してイオンビームの出射方向に対してウエハ主面が傾いている場合でも、ゲート電極を中心としてドレイン領域およびソース領域を対称に形成することが可能となり、単一セル内における電流の非対称性を解消することができる。したがって、本発明を不揮発性半導体メモリのメモリセルの形成に適用することにより、読み出し精度の安定化を図ることが可能となる。
【００３６】
かかる本発明の効果は、第１回目のイオン注入処理の後、第２回目のイオン注入処理の前に、ウエハを一旦ウエハ搭載ステージから取り外し、ウエハ搭載ステージに対してウエハを１８０°回転させて再載置することによりもたらされる。ここで、ウエハの向きを１８０°回転させる場合において、本発明の製造方法とは異なり、ウエハをステージから取り外すことなくウエハ搭載ステージごとウエハを回転させる場合について考える。
【００３７】
図８（ａ）は、第１回目のイオン注入を行う際、ウエハ搭載ステージ３０上に付着した異物が原因でイオンビームの出射方向に対してウエハ２０の主面が傾いている場合のイオン注入の様子を示している。同図に示す例では、異物によってドレイン側の高さがソース側よりも高くなっている。この場合、ソース側にゲート電極１２の影となる部分が生じ、ドレイン領域１６およびソース領域１７はゲート電極１２に対して非対称に形成されることとなる。
【００３８】
第１回目のイオン注入が完了したら回転機構を有するウエハ搭載ステージ３０を回転させることによりウエハ２０の向きを１８０°回転させる。ウエハ２０は、ウエハ搭載ステージ３０上に固定されたまま回転するので、ウエハ２０の傾きの方向は回転前後で変わらず、ウエハ搭載ステージ３０上に付着した異物によってドレイン側の高さがソース側よりも高くなっている状況は変わらない。図８（ｂ）は、かかる状態で第２回目のイオン注入を実施したときのイオン注入の様子を示している。ウエハ２０の傾きの方向は、第１回目のイオン注入時から変化していないので、ソース側にゲート電極１２の影となる部分が生じる状況は変わらない。従って、第１回目のイオン注入処理においてイオン注入が行われる部分と、第２回目のイオン注入処理においてイオン注入が行われる部分は、ほぼ同じとなり、最終的にドレイン領域１６およびソース領域１７はゲート電極１２に対して非対称に形成されることとなる。従って、ウエハ２０を載置したままウエハ搭載ステージ３０を回転させる方法によっては、単一セルにおける電流の非対称性を解消するには至らない。
【００３９】
次に、複数のウエハを一括処理するバッチ式イオン注入装置を用いる場合について説明する。図９は、バッチ式イオン注入装置のウエハ搭載部の構成を示す平面図であり、図１０は、図９における１０―１０線に沿った断面図である。
【００４０】
回転ディスク４０は、円盤状の回転ステージであり、上面には外縁に沿って配置された複数のウエハ搭載ステージ３０が設けられ、背面には回転軸４０ａが設けられている。回転ディスク４０は、図示しない駆動機構により回転軸４０ａを回転中心として回転駆動され、更に回転軸４０ａと垂直な方向に直動するようになっている。
【００４１】
処理対象となるウエハは、各ウエハ搭載ステージ３０の上に載置され、図示しないクランプ機構によって固定される。回転ディスク４０の外周領域には、中心部に向けて傾斜した傾斜面４０ｂが設けられており、ウエハ搭載ステージ３０は、この傾斜面４０ｂ上に設けられている。このように、回転ディスク４０の外周領域に傾斜面４０ｂが設けられるのは、回転ディスク４０が回転したときに生じる遠心力によって、ウエハ搭載ステージ３０上に載置されたウエハ２０が脱落したいようにするためである。
【００４２】
イオン注入は、回転ディスク４０の最上位置に到来したウエハに対してのみ行われ、固定化された照射領域５０の範囲で注入される。回転ディスク４０は、イオン注入の処理対象となる最上位置のウエハの主面がイオンビームの出射方向に対して垂直になるように、イオンビームの出射方向に対して角度θの傾きをもって設置される。
【００４３】
上記した構成のバッチ式イオン注入装置を用いて、ドレイン・ソース領域を形成する場合においても、ウエハ搭載ステージの設置状態が不適切であったり、ウエハ載置面上に異物が付着していると、ドレイン領域およびソース領域がゲート電極に対して非対称に形成されることとなる。そこで、何らかの原因によってウエハ主面が傾いてしまった場合でも、ドレイン領域およびソース領域がゲート電極に対して非対称とならないように、以下に示す方法でイオン注入を行う。
【００４４】
図１１は、上記した構成のバッチ式イオン注入装置を用いたドレイン・ソース領域形成工程において行われる各処理を示したフローチャートである。
【００４５】
まず、回転ディスク４０に設けられた各ウエハ搭載ステージ３０上にゲート電極１２およびサイドウォール１５の形成まで完了したウエハ２０を載せる。このとき、ゲート長方向と直交するゲート電極１２の伸張方向が当該ウエハの載置位置における回転ディスク４０の回転軌跡の接線方向と平行となるように各ウエハを載置する。各ウエハをこのように載置することにより、回転ディスク４０の外周領域に設けられた傾斜面４０ｂに起因するゲート電極のシャドウイングの影響を最小限に押さえることができる。すなわち、ウエハが回転ディスクの最上位置に到達する前後においては、ウエハ主面はイオンビームの出射方向に対して僅かに傾き、垂直からずれた角度でイオン注入がなされてしまう部分が生じることとなる。しかしながら、ゲート電極の伸張方向を回転軌跡の接線方向と平行となるように載置することにより、ウエハ主面がイオンビームの出射方向に対して傾いたとしても、その傾きの方向は、ゲート電極１２の影を形成する方向とはならないため、ドレイン・ソース領域が非対称に形成されることはない。図９は、この段階において各ウエハ搭載ステージ３０上に載置されるウエハ２０の向きを例示したものである。ウエハ２０は、クランプ機構等によってウエハ搭載ステージ３０上に固定される（ステップＳ１１）。
【００４６】
次に、ウエハ２０の向きを維持したまま、ドレイン領域１６およびソース領域１７を形成するための第１回目のイオン注入を実施する。イオン注入が行われている間、回転ディスク４０は高速で回転し、回転ディスク４０の最上位置に到来したウエハに対してのみイオン注入が行われる。回転ディスク４０は、直動機構により回転軸４０ａと垂直な方向に駆動され、各ウエハ２０の全面に亘ってイオン注入が行われる。このように、バッチ式イオン注入装置では、ウエハ搭載ステージ３０上に載置された全てのウエハ２０が一括処理される。イオン注入は２回に分けて行われ、第１回目のイオン注入においては、規定量の半分のドーズ量でイオン注入を実施する。例えば総ドーズ量１×１０15／ｃｍ-2でイオン注入を行うことにより、ドレイン領域１６およびソース領域１７を形成する場合、第１回目のイオン注入ではドーズ量を５×１０14／ｃｍ-2に設定する（ステップＳ１２）。
【００４７】
ウエハ搭載ステージ３０の設置状況やウエハ搭載ステージ３０上に付着した異物等に起因して、ウエハ主面がイオンビームの出射方向に対して傾いている場合と、傾いていない場合のイオン注入の様子は、上記した枚葉式イオン注入処理装置を使用した場合と同様であり、図６（ａ）〜（ｃ）に示される。
【００４８】
すなわち、ウエハ主面がイオンビームの出射方向に対して傾いていない場合には、不純物イオンは、ウエハ主面に対して垂直に入射するため、ドレイン領域１６およびソース領域１７は、ゲート電極に対して対称に形成される（図６（ａ））。
【００４９】
一方、ウエハ搭載ステージ３０の設置状況やウエハ搭載ステージ３０上に付着した異物等に起因して、ウエハ主面がイオンビームの出射方向に対して傾いている場合には、ドレイン側又はソース側のいずれか一方にゲート電極１２の影となる部分が生じるため、ドレイン側においてイオン注入が行われる領域とソース側においてイオン注入が行われる領域は、ゲート電極１２に対して非対称となる（図６（ｂ）、図６（ｃ））。
【００５０】
各ウエハ２０に対して第１回目のイオン注入処理が完了したら、各ウエハ２０を一旦ウエハ搭載ステージ３０上から取り外し、ウエハの向きを１８０°回転させて再度ウエハステージ３０上に載置する。このとき、ウエハ搭載ステージ３０ごと回転させるのではなく、ウエハ搭載ステージ３０に対してウエハ２０を回転させる。ここでもゲート長方向と直交するゲート電極１２の伸張方向が当該ウエハの載置位置における回転ディスク４０の回転軌跡の接線方向と平行となるように各ウエハ２０を載置する。図１２にこの段階においてウエハ搭載ステージ３０上に載置されるウエハ２０の向きを例示した平面図を示す。各ウエハ２０は、クランプ機構等によってウエハ搭載ステージ３０上に固定される（ステップＳ１３）。
【００５１】
次に、各ウエハ２０の向きを維持したまま、第２回目のイオン注入を実施する。第２回目のイオン注入は、第１回目のイオン注入の場合と同様、規定量の半分のドーズ量でイオン注入を実施する。例えば総ドーズ量１×１０15／ｃｍ-2でイオン注入を行うことにより、ドレイン領域１６およびソース領域１７を形成する場合、第２回目のイオン注入ではドーズ量を５×１０14／ｃｍ-2に設定する（ステップＳ１４）。
【００５２】
ウエハ搭載ステージ３０の設置状況やウエハ搭載ステージ３０上に付着した異物等に起因して、ウエハ主面がイオンビームの出射方向に対して傾いている場合と、傾いていない場合のイオン注入の様子は、上記した枚葉式イオン注入処理装置を使用した場合と同様であり、図７（ａ）〜（ｃ）に示される。
【００５３】
すなわち、ウエハ主面がイオンビームの出射方向に対して傾いていない場合には、不純物イオンは、ウエハ主面に対して垂直に入射するため、ドレイン領域１６およびソース領域１７は、ゲート電極に対して対象に形成される。（図７（ａ））
一方、ウエハ搭載ステージ３０の設置状況やウエハ搭載ステージ３０上に付着した異物等に起因して、ウエハ主面がイオンビームの出射方向に対して傾いている場合には、第１回目のイオン注入のときと同様、ドレイン側においてイオン注入が行われる領域とソース側においてイオン注入が行われる領域は、ゲート電極１２に対して非対称となる。しかしながら、ウエハ搭載ステージ３０に対してウエハ２０の向きを１８０°回転させることによりウエハの傾きの方向を第１回目のイオン注入のときから変化させているので、第１回目と第２回目のイオン注入処理において、重複してイオン注入が行われる領域（図中斜線で示す）すなわち、規定のドーズ量でイオン注入が行われる領域は、ドレイン側とソース側で一致する。また、ゲート電極１２の影の影響で、規定量の半分のドーズ量でイオン注入が行われることとなった領域（図中点線で囲む領域）もドレイン側とソース側で一致する。更に、第１回目と第２回目のイオン注入工程において、注入される不純物イオンのドーズ量も等しい。従って、２回のイオン注入処理を通じてドレイン領域１６およびソース領域１７は、ゲート電極１２に対して対象に形成されることとなる（図７（ｂ）、図７（ｃ））。
【００５４】
このように、バッチ式イオン注入装置を使用する場合においてもウエハ搭載ステージ３０自体が傾いていたり、ウエハ搭載ステージ３０上に付着した異物等に起因してイオンビームの出射方向に対してウエハ主面が傾く場合があるが、本発明の半導体装置の製造方法によれば、このような場合でもゲート電極１２を中心としてドレイン領域１６およびソース領域１７を対称に形成することが可能となり、電流の非対称性を解消することができる。したがって、本発明を不揮発性半導体メモリのメモリセルの形成に適用することにより、読み出し精度の安定化を図ることが可能となる。
【００５５】
尚、上記した実施例においては、ウエハ主面に対して垂直方向にイオンビームを照射する場合を基準として説明したが、イオンビームの出射方向に対して意図的にウエハ主面を傾けた状態でイオン注入を行う場合についても有効である。
【符号の説明】
【００５６】
１０  ｐ型シリコン基板
１１  ゲート酸化膜
１２  ゲート電極
１３  トンネル酸化膜
１４  電荷蓄積層
１５  サイドウォールスペーサ
１６  ドレイン領域
１７  ソース領域
２０  ウエハ
３０  ウエハ搭載ステージ
４０  回転ディスク
４０ａ  回転軸
４０ｂ  傾斜面
【図１】
2010238854.tif 000003
【図２】
2010238854.tif 000004
【図３】
2010238854.tif 000005
【図４】
2010238854.tif 000006
【図５】
2010238854.tif 000007
【図６】
2010238854.tif 000008
【図７】
2010238854.tif 000009
【図８】
2010238854.tif 000010
【図９】
2010238854.tif 000011
【図１０】
2010238854.tif 000012
【図１１】
2010238854.tif 000013
【図１２】
2010238854.tif 000014